(57)【要約】【課題】  回転するドラム面上に被露光物を取り付け、ドラム軸と平行移動する露光部により露光記録を行う露光記録装置で、露光記録に当って測距センサに頼ることなく良好なピント位置が保たれるようにする。【解決手段】  組立完了時に各種被露光物を取り付けて測定した被露光物への露光部によるピント位置のズレ量のデータをメモリとして各種記憶していて、露光記録に当って制御部は当該被露光物の前記メモリを用いて、ピント位置のズレ量を解消するよう露光部の移動制御を行う。【選択図】        図５
2005234429.tif 000002
【特許請求の範囲】
【請求項１】
回転するドラム面上に被露光物を取り付け、レーザ又はＬＥＤを光源とする露光部を取り付けた前記ドラム軸と平行に移動する副走査機構により、前記ドラム回転による主走査と、前記副走査機構の移動による副走査とによって、前記被露光物上に露光記録を行う露光記録装置において、
組立完了時に測定した前記ドラム面への前記露光部によるピント位置のズレ量のデータをメモリとして記憶していて、
露光記録に当って制御部は、前記メモリを用いて前記ピント位置のズレ量を解消するよう前記露光部の移動制御を行うことを特徴とする露光記録装置。
【請求項２】
被露光物のサイズ等の情報を入力することにより、制御部は前記ドラム面上に取り付けた該被露光物上にピント位置があるよう、前記露光部の移動制御を行うことを特徴とする請求項１に記載の露光記録装置。
【請求項３】
回転するドラム面上に被露光物を取り付け、レーザ又はＬＥＤを光源とする露光部を取り付けた前記ドラム軸と平行に移動する副走査機構により、前記ドラム回転による主走査と、前記副走査機構の移動による副走査とによって、前記被露光物上に露光記録を行う露光記録装置において、
組立完了時に各種被露光物を取り付けて測定した前記被露光物への前記露光部によるピント位置のズレ量のデータをメモリとして各種記憶していて、
露光記録に当って制御部は当該被露光物の前記メモリを用いて、前記ピント位置のズレ量を解消するよう前記露光部の移動制御を行うことを特徴とする露光記録装置。
【発明の詳細な説明】
【技術分野】
【０００１】
本発明は、回転するドラム上に取り付けた被露光物に対して露光記録を行う露光記録装置に係わり、例えば印刷業界で用いられる製版記録装置に適用される露光記録装置に関する。
【背景技術】
【０００２】
デジタル方式によって画像記録を行う場合には、レーザ又はＬＥＤを光源としたスポット光を被露光物上に走査を行うことによって記録がなされる。具体的には、例えば回転するドラム面上に被露光物を取り付け、レーザ又はＬＥＤを光源とする露光部を取り付けたドラムと平行に移動する副走査機構により、ドラム回転による主走査と、副走査機構の移動による副走査とによって、被露光物上に露光記録を行うこともなされている。
【０００３】
かかる露光記録装置にあっては、ドラム面の真円度や平行度、或いは偏芯等に基づくドラム回転時のドラム面の変動、及び副走査機構の移動軸の真直度やドラム軸に対する平行度等が原因となって、副走査機構移動時の、光学系を有した露光部とドラム面との距離の変動が生じ、露光記録時のピント特性が変動してしまうという問題がある。
【０００４】
露光記録時のピント特性の変動は、記録画像の低下を招くこととなる。かかるピント特性の変動をなくすために、露光記録装置の各部品の機械的精度や組立精度を高めることによって対処しているが、上記のように多くの変動要因が重畳してピント特性の変動は発生しているので、かかる課題を完全に解消するのは困難である。
【０００５】
露光記録時のピント特性の変動を解消する手段として、ドラム上の露光面と光学系を有した露光部との距離を測定する測距センサを露光部に設置し、検知した距離をもとに結像レンズをピント方向にプラス又はマイナスに移動させ、露光面と結像レンズとの距離が所定のピント距離になるように動作させる技術が開示されている。（例えば特許文献１参照。）。
【特許文献１】特開２００１−１８８３０６号公報
【発明の開示】
【発明が解決しようとする課題】
【０００６】
ピント特性の変動を解消するのに測距センサを用いるときは、センサは被露光物の感度を持たない光源であることを必要とし、センサが検知した測距距離に基づいて露光部の位置調整を行う間に生じるタイムラグ等種々解決すべき課題が存在する。
【０００７】
本発明は結像レンズとドラム面との距離を測定するセンサ等を設置することなく、露光記録を行うに際してドラム面と結像レンズの距離関係が一定に保たれる露光記録装置を提供することを目的とする。
【０００８】
更に露光記録に当っては、厚みや縦横サイズ等の異なった種々の被露光物をドラムに取り付けて露光記録を行う際にも、ピント位置のずれのない露光が行われる露光記録装置を提供することを目的とする。
【課題を解決するための手段】
【０００９】
前記の課題を解決し、かつ目的を達成するために本発明は以下のように構成している。
【００１０】
（請求項１）
回転するドラム面上に被露光物を取り付け、レーザ又はＬＥＤを光源とする露光部を取り付けた前記ドラム軸と平行に移動する副走査機構により、前記ドラム回転による主走査と、前記副走査機構の移動による副走査とによって、前記被露光物上に露光記録を行う露光記録装置において、
組立完了時に測定した前記ドラム面への前記露光部によるピント位置のズレ量のデータをメモリとして記憶していて、
露光記録に当って制御部は、前記メモリを用いて前記ピント位置のズレ量を解消するよう前記露光部の移動制御を行うことを特徴とする露光記録装置。
【００１１】
（請求項２）
被露光物のサイズ等の情報を入力することにより、制御部は前記ドラム面上に取り付けた該被露光物上にピント位置があるよう、前記露光部の移動制御を行うことを特徴とする請求項１に記載の露光記録装置。
【００１２】
（請求項３）
回転するドラム面上に被露光物を取り付け、レーザ又はＬＥＤを光源とする露光部を取り付けた前記ドラム軸と平行に移動する副走査機構により、前記ドラム回転による主走査と、前記副走査機構の移動による副走査とによって、前記被露光物上に露光記録を行う露光記録装置において、
組立完了時に各種被露光物を取り付けて測定した前記被露光物への前記露光部によるピント位置のズレ量のデータをメモリとして各種記憶していて、
露光記録に当って制御部は当該被露光物の前記メモリを用いて、前記ピント位置のズレ量を解消するよう前記露光部の移動制御を行うことを特徴とする露光記録装置。
【発明の効果】
【００１３】
請求項１記載の発明によるときは、結像レンズとドラム面との距離を測定する測距センサ等を設置することなく、露光記録に当ってはドラム面と結像レンズの位置関係を一定に保つことができ、良好な露光記録がなされることとなる。
【００１４】
請求項２記載の発明によるときは、予め記録する各種の被露光物の必要データをメモリとしていて、露光記録に当って、該当する被露光物のデータをドラム面への露光部によるピント位置ズレ量のデータと合成することによって、当該被露光物へのピント位置ズレ量のデータが求められ、露光記録に当っては当該被露光物と結像レンズの位置関係を一定に保つことができ、良好な露光記録がなされることとなる。
【００１５】
請求項３記載の発明によるときは、予め記録する各種の被露光物をドラムに取り付けたときの被露光物への露光部によるピント位置のズレ量が記録されているので、露光記録に当っては当該被露光物と結像レンズの位置関係を一定に保つことができ、良好な露光記録がなされることとなる。
【発明を実施するための最良の形態】
【００１６】
本発明の露光記録装置は、例えば印刷業界で用いられる製版記録装置（プレートセッタ）や検版記録装置等に広く適用される。
【００１７】
以下、プレートセッタを用いて本発明の説明を行うが、本発明はかかるプレートセッタに限定されるものではない。
【００１８】
図１はプレートセッタの構成を示すもので、図１（ａ）は平面図、図１（ｂ）は側面図である。
【００１９】
１はドラムで、駆動モータ（不図示）によって、５００〜２０００ｒｐｍの等速の駆動回転がなされる。また、ドラム１にはエンコーダ（不図示）が取り付けれていて、ドラム１の回転中にはレーザ光源による記録開始時点等のタイミング情報が随時出力される。ドラム１は周面の規定位置に、各種サイズの版材（以下プレートともいう）が密着して取り付けれる構造となっている。図２はドラム１周面の展開図である。
【００２０】
版材としては、プレート厚さ０．１５〜０．３ｍｍ程度の各種サイズ（縦寸法×横寸法）の金属薄板が用いられ、ドラム軸と平行のプレート取り付け位置の基準となる位置固定クランプ１１Ａと、プレートサイズの大きさによって移動できるようにした位置可変クランプ１１Ｂによって版材の両側を固定する構成となっていて、ドラム周面には真空吸着用の溝及び穴が随所に設けられていて、版材は真空吸着されてドラム周面の定位置に密着状態に保持固定される。図２はプレートＰＭ−Ａを取り付けた状態を示していて、プレートＰＭ−Ｂ、ＰＭ−Ｃも図示した定位置にそれぞれ取り付けられる。
【００２１】
図１に示すように、ドラム１の回転軸と平行に、ボールネジ２、案内棒３が設けられていて、ボールネジ２、案内棒３に係合して副走査台４が取り付けられている。副走査台４は、パルスモータ（不図示）の駆動によって回転するボールネジ２によって、ドラム面と平行に等速に移動する。副走査台４には露光部５が設けられている。
【００２２】
露光部５は、光源５１、光学系５２、結像レンズ５３より成るサーマルプレートレコーダである。光源５１としては約１Ｗ出力をもった例えば６４チャネルのレーザダイオードで、コリメータレンズ等を含む光学系５２を経て、結像レンズ５３によってドラム周面に取り付けられたプレート上に例えば１０μｍ間隔をもって６４ラインの露光が行われる。本発明にあっては、結像レンズ５３をピント方向に移動調整を可能としている。図３には結像レンズ５３のピント調整機構を示している。
【００２３】
結像レンズ５３は可動ステージ６１上に固定されている。可動ステージ６１と一体をなす支持腕６１Ａは、結像光路と平行に設けられたボールネジ６２を把持した形で係合し、ボールネジ６２の回転に伴い副走査台４上を光軸に沿って前後に移動する。６３はピント位置調整用の駆動モータで、ボールネジ６２を正方向又は逆方向への回転を行う。
【００２４】
駆動モータ６３の駆動回転により、結像レンズ５３は光軸方向前後に移動して、ピント位置調整がなされる。なお、本発明においては結像レンズ５３のみをピント調整の際移動する構成としているが、光源５１を含む露光部５を移動する構成としてもよい。
【００２５】
本発明においては、露光記録装置の組立調整時に、ドラム１面、又はドラム１周面に版材を取り付けたときのプレート面への、基準位置に停止した結像レンズ５３からのピント位置のズレ量をメモリとして露光記録される全面に渡って記憶している。ピント位置のズレ量を求めるには、図１に示すように、副走査台４上にドラム１に対向した測距センサＳ（Ｄ）を設け、露光記録装置の起動と同時に測距を開始することによって、露光記録範囲全面に渡っての測距センサＳ（Ｄ）とドラム１周面との間隔、又は測距センサＳ（Ｄ）とプレート面との間隔が求められ、求められたデータから容易にピント位置のズレ量、又はピント位置を正確に保持するための結像レンズ５３の移動量が求められる。
【００２６】
（１）  実施の形態１（請求項１、２）
本実施形態においては、組立調整が完了した時点で、副走査台４上に測距センサＳ（Ｄ）を取り付け、ドラム１及びボールネジ２を回転駆動を行う駆動部１１１を駆動し、エンコーダ１１２からのタイミング信号を起点として測距センサＳ（Ｄ）によって、ドラム１周面と結像レンズ５３間の距離測定を行う。測定して求めたドラム周面と結像レンズ５３間距離から、結像レンズ５３の基準位置からのプラス又はマイナスのピント距離補正量を求めて、制御部１００のメモリＭ２Ａに記録しておく。
【００２７】
なお、ドラム面までの距離測定に当って、真空吸着用の溝部等、ドラム面と結像レンズ５３間の距離が急激に変化する箇所については、溝部を挟む両側での距離の平均値をもって溝部における距離とし、測定された溝部についての距離の修正を行う。
【００２８】
図４には電気制御系の概要を示している。１０１は演算制御処理を行うＣＰＵで、露光記録を行う画像データを時系列のデジタル信号として記録したメモリＭ１、ドラム１周面と結像レンズ５３間でのレンズ位置補正量を記録したメモリＭ２Ａが接続されていて、ＣＰＵ１０１はインターフェース１１０を介して外部機器に接続されている。
【００２９】
インターフェース１１０の出力側には、露光記録装置の駆動部１１１、レーザ光源５１、結像レンズ５３を光軸方向に移動させる駆動モータ６３が接続されている。また、インターフェース１１０の入力側には、露光記録タイミングの基準として用いられるエンコーダ１１２が接続されている。
【００３０】
製版記録に当っては、露光記録しようとする版材例えばプレートＰＭ−Ａを図２に示すようにドラム１周面の規定位置への取り付けを行う。また操作表示部１０２にも版材名（この場合はＰＭ−Ａ）、又は版材寸法（縦×横×厚さ）の入力を行う。版材名を入力する形式の場合には、制御部１００は、版材名と当該版材の寸法や必要とする特性をメモリとしていて、露光記録に当っては、ＣＰＵ１０１はメモリＭ２Ａよりピント位置補正量のデータを呼び出し、ドラム・結像レンズ間ピント位置補正量に対して、使用版材の寸法を含む特性値を付加して修正を行うことによって、使用版材に対する露光範囲とピント位置補正量が定まり、メモリＭ１に記憶された画像データによってレーザ光源５１は発光して露光記録がなされる。
【００３１】
なお、露光範囲内でのピント位置補正量については、例えば０．２ｍｍの厚さの版材が用いられるときは、メモリＭ２Ａに記憶されたピント位置補正量に対して結像レンズ５３を後退する方向に０．２ｍｍ又は０．２ｍｍ＋αの移動を行うよう修正がなされる。
【００３２】
かかる制御が行われることによって、使用版材上には、良好なピント位置修正がなされた露光記録がなされることとなる。
【００３３】
（２）  実施の形態２（請求項３）
本実施形態においては、組立調整が完了した時点で、使用される各種の版材、例えばプレートＰＭ−Ａ、ＰＭ−Ｂ、ＰＭ−Ｃを図２に示したドラム１周面上の規定位置に交互に取り付け、副走査台４上には測距センサＳ（Ｄ）を取り付ける。駆動部１１１を駆動してドラム１及びボールネジ２を回転し、エンコーダ１１２からのタイミング信号を起点として測距センサＳ（Ｄ）によって、各種の版材面と結像レンズ５３間の距離測定を行う。
【００３４】
測定して求めたドラム１上に取り付けた各種版材面と結像レンズ５３間距離から、各種版材面に対する結像レンズ５３の基準位置からのピント距離補正量を求めて、制御部１００のメモリＭ２Ｂに記録しておく。
【００３５】
図５には電気制御系の概要を示している。１０１は演算制御処理を行うＣＰＵで、露光記録を行う画像データを時系列のデジタル信号として記録したメモリＭ１、ドラム１周面上の規定位置に取り付けたシートＰＭ−Ａ面と結像レンズ５３間でのレンズ位置補正量、ドラム１周面上の規定位置に取り付けたシートＰＭ−Ｂ面と結像レンズ５３間でのレンズ位置補正量、ドラム１周面上の規定位置に取り付けたシートＰＭ−Ｃ面と結像レンズ５３間でのレンズ位置補正量、−−−−を記録したメモリＭ２Ｂが接続されていて、ＣＰＵ１０１はインターフェース１１０を介して外部機器に接続されている。
【００３６】
インターフェース１１０の出力側には、露光記録装置の駆動部１１１、レーザ光源５１、結像レンズ５３を光軸方向に移動させる駆動モータ６３が接続されている。また、インターフェース１１０の入力側には、露光記録タイミングの基準として用いられるエンコーダ１１２が接続されている。
【００３７】
製版記録に当っては、露光記録しようとする版材例えばプレートＰＭ−Ａを図２に示すようにドラム１周面の規定位置への取り付けを行う。また操作表示部１０２にも版材名（この場合はＰＭ−Ａ）の入力あるいは選択を行う。
【００３８】
露光記録に当っては、ＣＰＵ１０１はメモリＭ２Ｂの中からＰＭ−Ａ面と結像レンズ５３間でのレンズ位置補正量のデータを呼び出し、該データを用いて結像レンズ５３のピント位置補正を行いながら、メモリＭ１に記憶された画像データによってレーザ光源５１は発光して露光記録がなされる。
【００３９】
かかる制御が行われることによって、使用版材上には、良好なピント位置修正がなされた露光記録がなされることとなる。また、例えば薄い厚さの版材を用いるときは、ドラム１周面に設けた真空吸着用溝部が原因となって当該箇所には僅かの凹凸が生じるが、本実施形態においては、それらの凹凸箇所に対するピント位置補正が行われる。
【図面の簡単な説明】
【００４０】
【図１】プレートセッタの構成を示す平面図及び側面図。
【図２】ドラム周面の展開図。
【図３】結像レンズのピント調整機構図。
【図４】電気制御系の概要図（実施の形態１）。
【図５】電気制御系の概要図（実施の形態２）。
【符号の説明】
【００４１】
１  ドラム
２  ボールネジ
４  副走査台
５  露光部
５１  光源
５３  結像レンズ
６１  可動ステージ
６２  ボールネジ
６３  駆動モータ
Ｓ（Ｄ）  測距センサ
【図１】
2005234429.tif 000003
【図２】
2005234429.tif 000004
【図３】
2005234429.tif 000005
【図４】
2005234429.tif 000006
【図５】
2005234429.tif 000007